(57)【特許請求の範囲】
【請求項１】
液体用紙容器の注出孔に設けられる注出筒と、該注出筒と一体化して該注出孔内周辺の容器内壁と接合するフランジを有するスパウトと、該スパウトを封止するように内蔵された破断可能なプルタブとからなる注出口栓を有する液体用包装容器の製造法であって、
導電性バリア層と、少なくとも片側に積層された熱可塑性材料層とからなるウェブ状バリアフィルムを準備して連続的に搬送し、
組合せることによって該注出口栓の該スパウトと該プルタブとに対応するキャビティを形成する複数の第１金型と複数の第２金型とを、搬送されている該バリアフィルムを挟むように組合せて、該プルタブから該フランジにわたる対応キャビティを該バリアフィルムで覆わせ、
形成された該キャビティ内に溶融樹脂を射出し、該溶融樹脂が該バリアフィルムを該プルタブから該フランジにわたる対応キャビティの天井に押上げさせながら、キャビティ全体に該溶融樹脂を満たして該スパウトと該プルタブとを連続的に成形し、
成形された該スパウトと該プルタブから該ウェブ状バリアフィルムをトリミングして、該スパウトと該プルタブを得て、
該注出孔を容器内側から覆い、該プルタブから該フランジにわたって該注出口栓と一体成形された該ガスバリアフィルムを有し、該ガスバリアフィルムが少なくとも該容器壁と接合する該フランジ上端面に一体化されている複数の該注出口栓を得て、
所定間隔ごとに穿孔して該注出孔を形成されたウェブ状包装材料若しくは頂壁に注出孔が設けられた複数の包装容器を準備し、
該注出孔に容器内側から該スパウトをそれぞれ挿入して、該容器内壁面と該フランジ上端面とを接触させ、
該容器内壁面と該フランジ上端面とをそれぞれヒートシールする
ことを特徴とする注出口栓を有する液体用包装容器の製造法。
【発明の詳細な説明】
【技術分野】
【０００１】
本発明は、飲料などを充填する容器のガスバリア性注出口栓を有する液体用包装容器の製造法器に関する。
【背景技術】
【０００２】
従来、牛乳、清涼飲料等の液体食品を充填する紙容器の注出口栓は、前もって注出口栓を成形し、紙容器へ若しくは容器成形前の包装材料へ、その容器若しくはその包装材料に穿孔された注出孔に内側から挿入して超音波シールなどで溶着して若しくは注出孔外側へ当てて溶着する第１の方法で、又は、紙容器用の包装材料に穿孔された注出孔へ射出成形によって注出口栓を直接に成形して装着しその包装材料から容器に成形する第２の方法で、装着される。
【０００３】
上記第１の方法による注出口栓を装着する包装容器には、破断可能なように封止された液体用紙容器の注出孔に容器成形後に装着されたスパウトと、スパウトを覆うキャップと、スパウトに内蔵された開封手段、例えば、開封刃及びプルリングなどとからなる注出口栓及びその液体用包装容器がある。（特許文献１及び２参照）
牛乳などが充填される屋根型の紙容器用の注ぎ口は、多く、容器成形後に充填機で包装材料（ブランク）にあけた穴に、内側からフランジ付の注ぎ口を挿入し、超音波シールなどでこのフランジをブランクに溶着する。
上記の注ぎ口には、１ピースの簡単な注ぎ口、プルリングを備えメンブレンを持つスパウトにネジ蓋を備えた２ピースの注ぎ口などが知られている。
【０００４】
ポリエチレンコートの包装材料（ブランク）に熱溶着される関係で、注ぎ口も通常、ガスバリア性がないポリエチレンで作られる。いずれにしても、注出口栓が廉価にプラスチックで成形されるので、通常に成形された注出口栓には、バリア性は無い。
容器にガスバリア性が必要な場合、容器自体にバリア性を付与すると共に、スパウトのメンブレンを、ガスバリア性アルミ箔を積層したフィルムなどで裏打ちした２ピースの注ぎ口、あるいは、スパウト開口部を、アルミ箔を積層したフィルムでシールした２ピースの注ぎ口が採用される。
【０００５】
上記第２の方法による注出口栓を装着する包装容器にガスバリア性が必要な場合、容器内側に対応する包装材料の注出孔内側を覆うように、射出成形のキャビティを有し、内底壁にガスバリアフィルムを載置した射出成形の第１金型を配設し、容器外側に対応する注出孔外側を覆うように、所定のキャビティを有する第２金型を配設し、キャビティ・ゲートから溶融樹脂をキャビティに射出して注出口栓の注出筒及びスパウトを成形し、ガスバリアフィルムと一体化する。（特許文献３参照）
【先行技術文献】
【特許文献】
【０００６】
【特許文献１】実開昭６３-８６０２１号公報
【特許文献２】特開平０８-１８３５５５号公報
【特許文献３】国際公開ＷＯ２００９／０００９２７号公報
【発明の概要】
【発明が解決しようとする課題】
【０００７】
上記第１の方法による注出口栓を装着する包装容器では、スパウトのメンブレンをガスバリア性アルミ箔を積層したフィルムなどで裏打ちするので、プルリングを引いてメンブレンに設けた薄肉の脆化ラインを切断して開封するが、アルミ箔を含むフィルムの裏打ちのために開けにくくなり、また、開封するためにガスバリア性フィルムに耐熱性の高い延伸フィルムが使用できず、裏打ち工程の生産性が低くなる。
また、キャップ天面側にガスバリア性アルミ箔を裏打ちする別の態様でも、注ぎ口の筒状部にバリア性を付与できないため、高度のバリア性を期待できない。
【０００８】
上記第２の方法による注出口栓を装着する包装容器では、包装材料の注出孔へ射出成形によって注出口栓を直接に成形するので、１個の注出孔へ１個の注出口栓を成形せざるをえず、成形工程の生産性が低いという不都合がある。
この発明は、容易に切断開封ができ、高度のバリア性を有し、注出口栓の成形製造工程の効率が高い注出口栓を有する液体用包装容器の製造法を提供することを目的とする。
【課題を解決するための手段】
【００１２】
この発明の注出口栓を有する液体用包装容器の製造法は、液体用紙容器の注出孔に設けられる注出筒と、該注出筒と一体化して該注出孔内周辺の容器内壁と接合するフランジを有するスパウトと、該スパウトを封止するように内蔵された破断可能なプルタブとからなる注出口栓を有する液体用包装容器の製造法であって、導電性バリア層と、少なくとも片側に積層された熱可塑性材料層とからなるウェブ状バリアフィルムを準備して連続的に搬送し、組合せることによって該注出口栓の該スパウトと該プルタブとに対応するキャビティを形成する複数の第１金型と複数の第２金型とを、搬送されている該バリアフィルムを挟むように組合せて、該プルタブから該フランジにわたる対応キャビティを該バリアフィルムで覆わせ、形成された該キャビティ内に溶融樹脂を射出し、該溶融樹脂が該バリアフィルムを該プルタブから該フランジにわたる対応キャビティの天井に押上げさせながら、キャビティ全体に該溶融樹脂を満たして該スパウトと該プルタブとを連続的に成形し、成形された該スパウトと該プルタブから該ウェブ状バリアフィルムをトリミングして、該スパウトと該プルタブを得て、該注出孔を容器内側から覆い、該プルタブから該フランジにわたって該注出口栓と一体成形された該ガスバリアフィルムを有し、該ガスバリアフィルムが少なくとも該容器壁と接合する該フランジ上端面に一体化されている複数の該注出口栓を得て、所定間隔ごとに穿孔して該注出孔を形成されたウェブ状包装材料若しくは頂壁に注出孔が設けられた複数の包装容器を準備し、該注出孔に容器内側から該スパウトをそれぞれ挿入して、該容器内壁面と該フランジ上端面とを接触させ、該容器内壁面と該フランジ上端面とをそれぞれヒートシールすることを特徴とする。
【発明の効果】
【００１４】
この発明によれば、この発明の注出口栓は、液体用紙容器の注出孔に設けられる注出筒及び、注出筒と一体化して注出孔内周辺の容器内壁と接合するフランジを有するスパウトと、好ましくはスパウトを覆うスクュー・キャップ若しくはヒンジ付きキャップと、スパウトを封止するように内蔵された破断可能なプルタブとからなる。
内蔵されたプルタブは、スパウトの注出筒をシール（封止）するので、流通過程及び保存期間に容器内容物を保存することができる。また、使用時には、例えば、プルリング等で引っ張ることで破断可能なであるので、開封することができる。
開封後には、液体用紙容器の注出孔から注出筒にかけて注出通路が形成されて、容器内容物を注ぎ出すことができる。
【００１５】
好ましい態様において設けられるスパウトを覆うスクュー・キャップ若しくはヒンジ付きキャップによって、開封前の衛生状態の維持、開封後の再封止を可能にする。
スパウトのフランジは、注出筒と一体化して注出孔内周辺の容器内壁と接合するので、注出口栓を容器に機械的密封的に固定することができる。
【００１６】
この発明の特徴によれば、注出孔を容器内側から覆い、プルタブからフランジにわたって注出口栓と一体成形されたガスバリアフィルムを有する。
ガスバリアフィルムが、バリア性の無い注出孔を覆うので、この部分で容器にバリア性を付与することができる。また、注出口栓と一体成形されているので、ガスバリアフィルムが固定されてバリア性の信頼性を確保することができ、開封に際しても開封を阻害することも無い。
【００１７】
この発明の特徴によれば、ガスバリアフィルムが少なくとも容器壁と接合するフランジ上端面に一体化されている。
包装材料にガスバリア性がある場合、容器壁にバリア層が積層されている。このバリア層に最内シーラント層などを介してフランジと接合する。この発明において、このフランジ上端面にガスバリアフィルムが配置されているので、バリア性を損なう間隙が極めて狭く、バリア性の信頼性を確保することができる。
【００１８】
この発明の好ましい態様では、ガスバリアフィルムがアルミ箔からなり、好ましくは、ポリエチレン／アルミ箔／ポリエチレンの積層フィルム、又はアルミ蒸着フィルムである。
この態様では、バリア層がアルミニュウム金属の導電性であるので、高周波磁界をかけることによって誘導加熱が起り、ヒートシールが容易にかつ確実にできるようになる。
【００１９】
この発明の液体用包装容器は、紙基材と、最外及び最内に積層された熱可塑性樹脂層と、好ましくはガスバリア層とからなる包装材料より成形された包装紙容器である。
包装材料が熱可塑性樹脂層で積層（ラミネート／コート）されているので、縦シールされる場合に、熱可塑性樹脂（熱可塑性材料）がヒートシールに寄与する。また、好ましい態様において、ガスバリア層が積層されていると、容器自体にバリア性を付与することができる。
【００２０】
この発明の液体用包装容器は、紙容器の注出孔に設けられた注出筒及び、注出筒と一体化して注出孔内周辺の容器壁と接合するフランジを有するスパウトと、好ましくはスパウトを覆うスクュー・キャップ若しくはヒンジ付きキャップと、スパウトを封止するように内蔵された破断可能なプルタブとからなる注出口栓を有する。
包装容器には、牛乳、清涼飲料等の液体食品が充填されている。プルタブは、スパウトの注出筒をシール（封止）するので、流通過程及び保存期間に上記内容物を保存することができる。また、消費者が容器開封時に、プルリングを引っ張ることで破断して開封することができる。
消費者は、容器の注出孔及び注出筒から、内容液を注ぎ出すことができる。
【００２１】
好ましい態様のスパウトを覆うスクュー・キャップ若しくはヒンジ付きキャップによって、製造業者や流通業者は、開封前の衛生状態を維持することができ、消費者は開封後に再封止することができる。
スパウトのフランジは、注出筒と一体化して注出孔内周辺の容器内壁と接合するので、注出口栓を容器に機械的密封的に固定することができる。
【００２２】
この発明の特徴によれば、容器自体にバリア層を有すると共に、注出孔を容器内側から覆い、プルタブからフランジにわたって注出口栓と一体成形されたガスバリアフィルムを有する。
容器のバリア層が容器自体を囲い、しかも、ガスバリアフィルムが、バリア性の無い注出孔を覆うので、この部分で容器にバリア性を付与することができる。また、注出口栓と一体成形されているので、ガスバリアフィルムが固定されてバリア性の信頼性を確保することができ、開封に際しても開封を阻害することも無い。
【００２３】
この発明の特徴によれば、ガスバリアフィルムが少なくとも容器壁と接合するフランジ上端面に一体化されている。
包装材料にガスバリア性がある場合、容器壁にバリア層が積層されている。このバリア層に最内シーラント層などを介してフランジと接合する。この発明において、このフランジ上端面にガスバリアフィルムが配置されているので、バリア性を損なう間隙が極めて狭く、バリア性の信頼性を確保することができる。
【００２４】
この発明の好ましい態様では、容器自体のバリア層、注出口栓のガスバリアフィルムがアルミ箔からなり、好ましくは、ポリエチレン／アルミ箔／ポリエチレンの積層フィルム、又はアルミ蒸着フィルムである。
この態様では、バリア層がアルミニュウム金属の導電性であるので、高周波磁界をかけることによって誘導加熱が起り、ヒートシールが容易にかつ確実にできるようになる。
【００２５】
この発明の注出口栓の製造法の第１のステップでは、導電性バリア層と、少なくとも片側に積層された熱可塑性材料層とからなるウェブ状バリアフィルムを準備して連続的に搬送する。
例えば、ウェブ状バリアフィルムはロール状に巻かれて保管され、製造時にこのロールからウェブ状バリアフィルムが引出される。
【００２６】
この発明の注出口栓の製造法の第２のステップでは、単数若しくは複数の第１金型と単数若しくは複数の第２金型とで、搬送されているバリアフィルムを上下から挟み込む。
製造効率を向上させる為に、例えば、第１金型と第２金型との複数個の対を準備して複数の注出口栓を同時に成形することができる。
第１金型及び第２金型は、単数若しくは複数の金型部品からなり、成形形状や成形条件によって、金型設計を、適時適宜、変更、選択、改変することができる。
第１金型及び第２金型を組合せることによって注出口栓のスパウトとプルタブとに対応するキャビティを形成し、プルタブからフランジにわたる対応キャビティをバリアフィルムが覆う。
【００２７】
この発明の注出口栓の製造法の第３のステップでは、形成されたキャビティ内に溶融樹脂を射出し、溶融樹脂がバリアフィルムをプルタブからフランジにわたる対応キャビティの天井に押上げさせながら、キャビティ全体に溶融樹脂を満たしてスパウトとプルタブとを連続的に成形する。
挟まれたバリアフィルムは、プルタブからフランジにわたる対応キャビティの底に位置する。プルタブからフランジにわたる対応キャビティの底から、そのキャビティ内に溶融樹脂を射出すると、溶融樹脂がバリアフィルムを押し上げながら、空洞側に移動する。その結果、プルタブからフランジにわたる対応キャビティの天井にバリアフィルムを押上げる。
この射出によって、キャビティ全体が溶融樹脂で満たされる。
【００２８】
この発明の注出口栓の製造法の第４のステップでは、成形されたスパウトとプルタブからウェブ状バリアフィルムをトリミングして、スパウトとプルタブを得る。
トリミングは、パンチ、カッターなどの機械的切断具、レザー、ヒータなどの熱的切断具などを用いて、成形されたスパウトとプルタブからウェブ状バリアフィルムを切り離す。
トリミング工程の前後で、キャップをスパウトに設けることができる。
【００２９】
この発明の包装容器の製造法では、得られた注出口栓は、上述のこの発明によるものである。所定間隔ごとに穿孔して注出孔を形成されたウェブ状包装材料若しくは頂壁に注出孔が設けられた包装容器を準備する。
この注出口栓を、この注出孔に容器内側からスパウトを挿入して、容器内壁面とフランジ上端面とを接触させ、高周波誘導加熱によって、容器内壁面とフランジ上端面とをヒートシールする。
包装材料にガスバリア性がある場合、容器壁にバリア層が積層されている。このバリア層に最内シーラント層などを介してフランジと接合する。この発明において、このフランジ上端面にガスバリアフィルムが配置されているので、バリア性を損なう間隙が極めて狭く、バリア性の信頼性を確保することができる。
【図面の簡単な説明】
【００３０】
【図１】本発明の一実施例の注出口栓が一容器例に接合されている状態を図示する一部断面外観図である。
【図２】本発明の注出口栓の製造法の一実施例で、第１の金型及び第２の金型が搬送されているバリアフィルムを上下から挟み、バリアフィルムが、プルタブからフランジにわたる対応キャビティの底に位置する状態を示す断面図である。
【図３】本発明の注出口栓の製造法の一実施例で、プルタブからフランジにわたる対応キャビティの底から溶融樹脂を射出し、溶融樹脂がバリアフィルムを押し上げる様子を示す断面図である。
【図４】本発明の注出口栓の製造法の一実施例で、溶融樹脂を射出し、プルタブからフランジにわたる対応キャビティの天井にバリアフィルムを押上げ、空洞側に移動する様子を示す断面図である。
【図５】本発明の注出口栓の製造法の一実施例で、射出によって、キャビティ全体が溶融樹脂で満たされた様子を示す断面図である。
【図６】本発明の注出口栓の製造法の一実施例で、第１から第４のステップを概略的に示す正面図及び側面図である。
【図７】本発明の一実施例の注出口栓が一屋根型容器例に接合されている状態を図示する斜視図である。
【発明を実施するための形態】
【００３１】
図面を参照して、この発明を実施するための形態、態様、実施例を具体的に説明する。
図１は、実施例の注出口栓１が、容器２に接合されている状態を図示する。この態様では、注出口栓１は、液体用紙容器２の注出孔３に設けられる注出筒４及び、注出筒４と一体化して注出孔内周辺の容器内壁と接合するフランジ５を有するスパウト６と、スパウト６を覆うスクュー・キャップ７と、スパウト７を封止するように内蔵された破断可能なプルタブ８とからなる。
プルタブ８は、スパウト６の注出筒４をシール（封止）し、プルタブ８の上面に一体成形されたプルリング９で引っ張ることで、弱め線を持つスコア１０に沿って破断し、開封する。
この開封後には、液体用紙容器２の注出孔３から注出筒４にかけて注出通路が形成されて、容器内容物を注ぎ出すことができる。
【００３２】
この態様において、ネジ山を持つスパウト６を覆うスクュー・キャップ７は、注出筒４と螺合する。その他の態様では、ヒンジ付きキャップも適宜配設することもできる。
スパウト６のフランジ５は、注出筒４と一体化して注出孔３内周辺の容器内壁と接合する。スパウト６の注出筒４を、注出孔３内側から挿入して配設できる。
【００３３】
この態様において、注出孔３を容器２内側から覆い、プルタブ８からフランジ５にわたって注出口栓と一体成形されたガスバリアフィルム１１を有する。
ガスバリアフィルム１１が、バリア性の無い注出孔３を覆う。この部分で容器２にバリア性を付与する。注出口栓と一体成形たガスバリアフィルム１１は注出口栓に固定される。
【００３４】
この態様において、ガスバリアフィルム１１が容器内壁２ａと接合するフランジ上端面５ａに一体化されている。
包装材料にガスバリア性がある場合、容器壁にバリア層が積層されている。このバリア層に最内シーラント層などを介してフランジ５と接合する。このフランジ上端面５ａにガスバリアフィルム１１が配置されている。この態様で接合されるとバリア性を損なう間隙が極めて狭く、バリア性の信頼性を確保する。
【００３５】
この態様では、ガスバリアフィルムがポリエチレン／アルミ箔／ポリエチレンの積層フィルムである。バリア層がアルミニュウム金属の導電性であるので、高周波磁界をかけることによって誘導加熱が起り、ヒートシールされる。
【００３６】
図１に示す実施例の液体用包装容器２は、紙基材と、最外及び最内に積層された熱可塑性樹脂層と、ガスバリア層とからなる包装材料より成形された包装紙容器である。
包装材料が熱可塑性樹脂層で積層（ラミネート／コート）されているので、縦シールされる場合に、熱可塑性樹脂（熱可塑性材料）でヒートシールする。ガスバリア層が積層されていると、容器２自体にバリア性を付与する。
包装容器２には、牛乳、清涼飲料等の液体食品が充填されている。プルタブ８は、スパウト６の注出筒４をシール（封止）する。この内容物を保存する。また、消費者が容器開封時に、プルリング９を引っ張ることでスコアで破断して開封する。
消費者は、容器２の注出孔３及び注出筒４から、内容液を注ぎ出すことができる。
【００３７】
スパウト６を覆うスクュー・キャップ７によって、製造業者や流通業者は、開封前の衛生状態を維持することができ、消費者は開封後に再封止することができる。
スパウト６のフランジ５は、注出筒４と一体化して注出孔３内周辺の容器内壁２ａと接合するので、注出口栓１を容器２に機械的密封的に固定する。
【００３８】
この例の容器２は、容器自体にバリア層を有すると共に、注出孔３を容器内側から覆い、プルタブ８からフランジ５にわたって注出口栓と一体成形されたガスバリアフィルム１１を有する。
容器のバリア層（図示せず）が容器自体を囲い、しかも、ガスバリアフィルム１１が、バリア性の無い注出孔３を覆うので、この部分で容器２にバリア性を付与する。また、注出口栓と一体成形されているので、ガスバリアフィルム１１が固定されてバリア性の信頼性を確保することができ、開封に際しても開封を阻害することも無い。
【００３９】
この態様によれば、ガスバリアフィルム１１が容器壁２ａと接合するフランジ上端面５ａに一体化されている。
包装材料にガスバリア性があり、容器壁２ａにバリア層が積層されている。このバリア層に最内シーラント層などを介してフランジ５、５ａと接合する。このフランジ上端面５ａにガスバリアフィルム１１が配置されているので、バリア性を損なう間隙が極めて狭く、バリア性の信頼性を確保する。
【００４０】
この態様では、容器自体のバリア層、注出口栓のガスバリアフィルムがポリエチレン／アルミ箔／ポリエチレンの積層フィルムである。
バリア層のアルミ箔がアルミニュウム金属の導電性であるので、高周波磁界をかけることによって誘導加熱が起り、ヒートシールが容易にかつ確実にできる。
【００４１】
図２乃至図６を参照して、この発明による一実施例の注出口栓の製造法を示す。
図６は、この製造法の一実施例である第１から第４のステップを概略的に示す。
第１のステップでは、導電性バリア層と、両側に積層された熱可塑性材料層とからなるウェブ状バリアフィルム１１を準備して連続的に搬送する。ウェブ状バリアフィルム１１はロール状に巻かれて保管され、製造時にこのロールからウェブ状バリアフィルム１１が引出される。
【００４２】
この製造法の第２のステップでは、図２乃至図６に示されるように、射出成形ステーション１２で、単数の第１金型１３と３個の第２金型１４ａ、１４ｂ、１４ｃとで、搬送されているバリアフィルム１１を上下から挟み込む。
製造効率を向上させる為に、図６に示すように、第１金型１３と第２金型１４との複数個の対を準備して複数の注出口栓１を同時に成形する。
注出口栓は、生産コストを下げるため、例えば、２４キャビティ、３２キャビティなどを用いて、多数の注出口栓を一時に生産される。
上述の様に、ロール状に巻かれた、成型面積に見合った幅の上記フィルムを、巻出し機からテンションを制御しながら、射出機へ供給し、固定型と稼動型の間に当該フィルムを挟み込み、多数個の注ぎ口をフィルム上に成型する。
【００４３】
図２に示すように、第１金型１３及び第２金型１４を組合せることによって注出口栓１のスパウト６とプルタブ８とに対応するキャビティ６ｘ、８ｘを形成し、プルタブ８からフランジ５にわたる対応キャビティ８ｘ、５ｘをバリアフィルム１１が覆う。
【００４４】
注出口栓の製造法の第３のステップでは、図３〜図５に示されるように、形成されたキャビティ５ｘ、６ｘ、８ｘ、９ｘ内に溶融樹脂１６をゲート１５から射出する。
溶融樹脂１６がバリアフィルム１１をプルタブからフランジにわたる対応キャビティ５ｘ、８ｘの天井に押上げさせながら移動する。キャビティ全体に溶融樹脂を満たしてスパウトとプルタブとを成形する。
図２に示すように、挟まれたバリアフィルム１１は、プルタブからフランジにわたる対応キャビティ５ｘ、８ｘの底に位置する。
【００４５】
図３に示すように、プルタブ８からフランジ５にわたる対応キャビティ５ｘ、８ｘの底から、そのキャビティ内に溶融樹脂１６をゲート１５射出すると、溶融樹脂１６がバリアフィルム１１を押し上げながら、空洞側に移動する。その結果、プルタブ８からフランジ５にわたる対応キャビティ５ｘ、８ｘの天井にバリアフィルムを押上げる。
図４〜図５に示すように、この射出によって、キャビティ全体５ｘ、６ｘ、８ｘ、９ｘが溶融樹脂１６で満たされる。
【００４６】
この注出口栓の製造法の第４のステップでは、トリミングステーション１７によって、成形された注出口栓１のスパウトとプルタブからウェブ状バリアフィルム１１をトリミングして、注出口栓１のスパウトとプルタブを得る。
トリミングは、例えば、パンチ、カッターなどの機械的切断具、レザー、ヒータなどの熱的切断具などを用いて、成形されたスパウトとプルタブからウェブ状バリアフィルム１１を切り離す。
射出成型された注出口栓は、このフィルムがキャリアとして、成型された注出口栓を、次の工程へ運ぶ役割をする。
フィルムは引き取りローラーなどでで引き出され、トリミングユニットへ搬送される。トリミングユニットでは、パンチ＆ダイなどで注出口栓を切り離し、トリムされたフィルムは巻取り機で巻きとられる。
【００４７】
ネジ蓋の代わりに、注出口栓自体にヒンジを介したキャップを成型した1ピースの注出口栓も成型が可能である。
切り離された注出口栓は、取り出され、パーツソーターなどで整列されて組立機へ送られ、ネジ蓋を組んで、梱包、納入される。
次いで、容器に溶着されて使用される。このキャップではフランジの上面、容器内面に触れる側にPE/アルミ箔 /PEを配置できるので、容器との溶着手段として、超音波だけではなく、高周波誘導加熱の利用も可能となる。
フランジの上にアルミ箔があるため、容器のアルミ箔層との間には容器内層のPE層とフランジ上面のシーラント層があるだけなので、高いバリアー性が期待できる。
【００４８】
この発明による包装容器の実施例の製造法では、得られた注出口栓は、上述の態様によるものである。所定間隔ごとに穿孔して注出孔を形成されたウェブ状包装材料若しくは、図７に図示されるような、頂壁に注出孔が設けられた包装容器を準備する。
この注出口栓を、この注出孔に容器内側からスパウトを挿入して、容器内壁面とフランジ上端面とを接触させ、高周波誘導加熱によって、容器内壁面とフランジ上端面とをヒートシールする。
包装材料にガスバリア性がある場合、容器壁にバリア層が積層されている。このバリア層に最内シーラント層などを介してフランジと接合する。この発明において、このフランジ上端面にガスバリアフィルムが配置されているので、バリア性を損なう間隙が極めて狭く、バリア性の信頼性を確保することができる。
【００４９】
以上、本発明の実施例を図面に基づいて説明したが、具体的な構成はこの実施例に限られるものではなく本発明の要旨を逸脱しない範囲の設計変更等があっても本発明に含まれる。
【符号の説明】
【００５０】
１    注出口栓
２    容器
３    注出孔
４    注出筒
５    フランジ
６    スパウト
７    キャップ
８    プルタブ
９    プルリング
１０  スコア
１１  ガスバリアフィルム
１２  射出成形ステーション
１３  第１金型
１４  第２金型
１５  ゲート
１６  溶融樹脂
１７  トリミングステーション
【図１】
0005839780.tif 000002
【図２】
0005839780.tif 000003
【図３】
0005839780.tif 000004
【図４】
0005839780.tif 000005
【図５】
0005839780.tif 000006
【図６】
0005839780.tif 000007
【図７】
0005839780.tif 000008